(57)【要約】【課題】フィルム貼付用補助ツールキットを開示する。【解決手段】フィルム貼付用補助ツールキットは、フィルム貼付用補助装置と、フィルム貼付用補助装置と合わせるフィルム貼付用気泡除去装置と、フィルム貼付用補助装置及びフィルム貼付用気泡除去装置と合わせる包装箱とを含み、包装箱の少なくとも一側壁に一開口が設けられ、フィルム貼付用気泡除去装置は、フィルム貼付に密接してフィルム下の気泡を除去することができ、且つ開口外にはみ出すことができない作業端と、作業端に接続され、それをキャリアーに固定し、開口外にはみ出すことができる固定端とを含む。フィルム貼付用補助装置、フィルム貼付用気泡除去装置及び包装箱を巧妙に接続することにより、フィルム貼付用気泡除去装置は、フィルム貼付過程において気泡除去の作用を奏し、包装過程において連結作用を奏することができ、製品の実用価値が大幅に向上し、消費者の注目を集めることができる。【選択図】図２
2020197691.tif 000002
【特許請求の範囲】
【請求項１】
フィルム貼付用補助装置と、前記フィルム貼付用補助装置と合わせるフィルム貼付用気泡除去装置と、前記フィルム貼付用補助装置及び前記フィルム貼付用気泡除去装置と合わせる包装箱と、を含むフィルム貼付用補助ツールキットにおいて、
前記包装箱の少なくとも一側壁に開口が設けられ、前記開口は、前記フィルム貼付用気泡除去装置が包装箱外にはみ出すことができるが、全部は包装箱外にはみ出すことができないように設けられ、
前記フィルム貼付用気泡除去装置は、フィルムに密接してフィルム下の気泡を除去することができ、且つ前記開口外にはみ出すことができない作業端と、前記作業端に接続され、前記作業端をキャリアーに固定するために用いられ、前記開口外にはみ出すことができる固定端とを含む、ことを特徴とするフィルム貼付用補助ツールキット。
【請求項２】
前記作業端は、前記固定端に接続された取付座と、前記取付座に回動自在に設けられた回動軸と、前記回動軸に設けられ、フィルム貼付に密接して気泡を除去する押付ローラとを含む、ことを特徴とする請求項１に記載のフィルム貼付用補助ツールキット。
【請求項３】
前記取付座の両端に前記回動軸が完全に通過可能な貫通孔が設けられ、前記回動軸における前記押付ローラの両側にそれぞれ係合溝が設けられ、前記係合溝内に前記係合溝にフィットし、且つ最大外径が前記貫通孔よりも大きい係止ブロックが設けられ、前記係止ブロックが前記押付ローラに締まりばめされる、ことを特徴とする請求項２に記載のフィルム貼付用補助ツールキット。
【発明の詳細な説明】
【技術分野】
【０００１】
本発明は、携帯電話用アクセサリーの分野に関し、特に、フィルム貼付用補助ツールキットに関する。
【背景技術】
【０００２】
現在、市販されている携帯電話用のフィルムは、貼り付けるには、通常、経験者に貼り付けてもらう必要がある。これは、自分で貼り付けると、ズレが発生しやすく、気泡、指紋汚れなどの問題があり、かなり面倒なためである。
【０００３】
また、補助ツールを用いてフィルム貼付を行う場合であっても、気泡が発生すると、一般には手で押し付けて気泡を除去するようにしている。しかし、手で押し付けると、大きな気泡が小さく潰される場合が多く、全ての気泡を完全に除去するには多くの時間がかかる。
【０００４】
そして、現在市販されているフィルム貼付用補助装置とその包装箱とは、それぞれ独立したものであり、互いに新たな付加価値を発生させることができない。
【０００５】
そこで、上記問題の一つ又は複数を解決できるフィルム貼付用補助ツールキットが必要である。
【発明の概要】
【発明が解決しようとする課題】
【０００６】
従来技術に存在する問題の一つ又は複数を解決するために、本発明は、フィルム貼付用補助ツールキットを提供する。
【課題を解決するための手段】
【０００７】
本発明は、以下の技術的手段により上記目的を達成する。
フィルム貼付用補助装置と、上記フィルム貼付用補助装置と合わせるフィルム貼付用気泡除去装置と、上記フィルム貼付用補助装置及び上記フィルム貼付用気泡除去装置と合わせる包装箱と、を含むフィルム貼付用補助ツールキットにおいて、
上記包装箱の少なくとも一側壁に開口が設けられ、上記フィルム貼付用気泡除去装置は、上記開口を介して包装箱外にはみ出すことができるが、包装箱外に完全にはみ出すことができない。
上記フィルム貼付用気泡除去装置は、上記フィルムに密接してフィルム下の気泡を除去することができ、上記開口外にはみ出すことができない作業端と、上記作業端に接続され、上記作業端をキャリアーに固定するために用いられ、上記開口外にはみ出すことができる固定端と、を含むフィルム貼付用補助ツールキット。
【０００８】
いくつかの実施例において、上記作業端は、上記固定端に接続された取付座と、上記取付座に回動自在に設けられた回動軸と、上記回動軸に設けられ、フィルムに密接して気泡を除去するための押付ローラと、を含む。
【０００９】
いくつかの実施例において、上記取付座の両端に上記回動軸が完全に通過可能な２つの貫通孔が設けられ、上記回動軸における上記押付ローラの両側にそれぞれ係合溝が設けられ、上記係合溝内に上記係合溝に嵌合され、且つ最大外径が上記貫通孔よりも大きい係止ブロックが設けられる。
【００１０】
いくつかの実施例において、上記係止ブロックは、上記押付ローラに締まりばめされる。
【００１１】
本発明は、以下の有益な効果を有する。本発明では、フィルム貼付用補助装置、フィルム貼付用気泡除去装置及び包装箱を巧妙に接続することにより、フィルム貼付用気泡除去装置は、フィルム貼付過程において気泡除去の作用を奏するだけでなく、包装過程において連結作用を奏することができ、製品の実用価値が大幅に向上し、消費者の注目を集めることができる。
【図面の簡単な説明】
【００１２】
【図１】本発明の好適な実施例の構造模式図である。
【図２】本発明の好適な実施例の分解図である。
【図３】本発明の好適な実施例の図１におけるＡ−Ａに沿う断面図である。
【図４】本発明の好適な実施例に係るフィルム貼付用気泡除去装置の構造模式図である。
【図５】本発明の好適な実施例に係るフィルム貼付用気泡除去装置の分解図である。
【図６】本発明の好適な実施例の図４のＢ−Ｂに沿う断面図である。
【図７】本発明の好適な実施例に係るフィルム貼付用補助装置及びフィルム貼付用気泡除去装置の組み立て模式図である。
【図８】本発明の好適な実施例の図７のＣ−Ｃに沿う断面図である。
【図９】本発明の好適な実施例に係るフィルム貼付用補助装置及びフィルム貼付用気泡除去装置の局所分解図である。
【図１０】本発明の好適な実施例に係るフィルム貼付用補助装置の上蓋の構造模式図である。
【図１１】本発明の好適な実施例に係るフィルム貼付用補助装置の下蓋の構造模式図である。
【図１２】本発明の好適な実施例に係るフィルム貼付用補助ツールキットにおけるフィルム貼付用気泡除去装置及び包装箱が組み立てられた状態の縦断面図である。
【図１３】本発明の別の好適な実施例に係るフィルム貼付用気泡除去装置の構造模式図である。
【図１４】本発明の好適な実施例に係る上蓋及び固定装置の構造模式図である。
【発明を実施するための形態】
【００１３】
図１から３に示すように、本発明は、フィルム貼付用補助ツールキットを開示する。上記ツールキットは、フィルム貼付用補助装置１０と、上記フィルム貼付用補助装置１０と合わせるフィルム貼付用気泡除去装置２０と、上記フィルム貼付用補助装置１０及び上記フィルム貼付用気泡除去装置２０と合わせる包装箱３０と、を含む。
上記包装箱３０の少なくとも一側壁上に開口３１が設けられる。上記開口３１は、上記フィルム貼付用気泡除去装置２０が包装箱３０外にはみ出すことができるが、包装箱３０外に全部ははみ出すことができないように設けられる。
上記フィルム貼付用気泡除去装置２０は、フィルムに密接してフィルム下の気泡を除去することができ、且つ上記開口３１外にはみ出すことができない作業端２１と、上記作業端２１に接続され、それをキャリアーに固定するために用いられ、且つ上記開口３１外にはみ出すことができる固定端２２と、を含む。
【００１４】
具体的には、この製品を包装する際に、フィルム貼付用気泡除去装置２０とフィルム貼付用補助装置１０を組み立てた後、包装箱３０内に入れ、最後に包装箱３０の開口３１を折り畳んで密封する。
【００１５】
折り畳んで密封する過程において、フィルム貼付用気泡除去装置２０の固定端２２を、該固定端２２が包装箱３０外に露出するように上記側壁に設けられた開口３１から通過させることにより、上記製品の包装が完成する。
【００１６】
なお、固定端２２は、掛け孔、磁石片又は貼り紙であってもよい。該製品を展示又は販売するときに、消費者や参加者の選択のために上記固定端２２を介して製品をキャリアー（例えば、ディスプレイスタンド、セールスカウンターなど）に固定することができる。
【００１７】
包装を解いて使用する場合、上記フィルム貼付用気泡除去装置２０を取り外し、フィルム貼付用補助装置１０を用いて電子製品（例えば、携帯電話、タブレットなど）にフィルムを貼り付けるときに気泡が発生した場合、フィルム貼付用気泡除去装置２０を用いて気泡を除去することができる。
【００１８】
本発明によれば、製品がディスプレイスタンド又はセールスカウンターなどに掛けて固定されやすいとともに、フィルム貼付の過程において、フィルムに発生した気泡を迅速に除去することができるので、製品の市場競争力が大幅に向上する。
【００１９】
図４から６に示すように、フィルム貼付用気泡除去装置２０は、固定端２２と、固定端２２に接続された作業端２１とを含む。作業端２１は、上記固定端２２に接続された取付座２１１と、上記取付座２１１上に回動自在に設けられた回動軸２１２と、上記回動軸２１２に設けられ、フィルムに密接して気泡を除去するための押付ローラ２１３と、を含む。
【００２０】
具体的には、作業端２１で作業する際に、押付ローラ２１３をフィルム表面に押し付け、手で固定端２２を持ち、押付ローラ２１３がフィルム表面に密接して転がるように固定端２２に付勢する。転がる過程において、押付ローラ２１３がフィルム表面に密接するため、フィルム貼付と電子製品スクリーンの間の気泡を押し出し、気泡除去の目的を達成することができる。
【００２１】
なお、電子製品への損傷を防ぐために、本発明に係る押付ローラ２１３の材質は、ゴムなどの非剛性材料を使用する。これによって、スクリーンへの損傷が回避される。
【００２２】
組み立てを容易にするために、本発明の取付座２１１の両端に上記回動軸２１２が完全に通過可能な２つの貫通孔２１４が設けられる。組み立てる過程において、直接回動軸２１２を貫通孔２１４から通過させて取付座２１１に接続することができる。回動軸２１２を取り付ける過程において、回動軸２１２の一端を取付座２１１上の一側の貫通孔２１４から通過させた直後、押付ローラ２１３を回動軸２１２の外側に周設すると同時に、回動軸２１２が押付ローラ２１３を通過して取付座２１１の他端における貫通孔２１４に入るまで回動軸２１２を挿入し続けることにより、回動軸２１２、押付ローラ２１３及び取付座２１１の組み立てが完成する。
【００２３】
本発明では、回動軸２１２における上記押付ローラ２１３の両側にそれぞれ係合溝２１５がさらに設けられる。上記係合溝２１５内に上記係合溝２１５とフィットする、最大外径が上記貫通孔２１４よりも大きい係止ブロック２１６が設けられる。上記係止ブロック２１６は、上記押付ローラ２１３に締まりばめされる。
【００２４】
具体的には、上記のように、押付ローラ２１３を回動軸２１２上の２つの係合溝２１５の間に固定することにより、使用中の押付ローラ２１３の移動が回避されるとともに、係止ブロック２１６の最大外径が取付座２１１上の貫通孔２１４の外径よりも大きいことにより、使用中に回動軸２１２が取付座２１１から脱離する問題が回避される。
【００２５】
また、係止ブロック２１６が押付ローラ２１３に締まりばめされることにより、係止ブロック２１６は、押付ローラ２１３が加える回動軸２１２の軸方向外側に向かう圧力を常に受け、この圧力の作用により係止ブロック２１６と係合溝２１５との接触面に比較的大きな静止摩擦力が形成され、この静止摩擦力の作用により、係止ブロック２１６が係合溝２１５から分離する問題が回避される。
【００２６】
図１３に示すように、本発明は、フィルム貼付用気泡除去装置２０の別の実施形態をさらに提供する。この装置の作業端２１は、上記固定端２２に接続され、下端に向けて幅が小さくなる押圧板２２６を含む。
【００２７】
使用過程において、押圧板２２６とフィルムとの接触により、同様に気泡除去の目的が達成される。
【００２８】
図７から１１及び図１４に示すように、フィルム貼付用補助装置１０は下蓋１１と、上蓋１２と、固定装置１３とを含む。下蓋１１は、深さが携帯電話の厚さ以下であり且つ形状が携帯電話にフィットする携帯電話収容室１１１、及び形状が上記作業端２１にフィットする第１作業端収容室１１２を有する。上蓋１２は、上記下蓋１１に対応し、形状がフィルムにフィットし、位置が上記携帯電話収容室１１１にフィットするフィルム収容室１２１、及び形状が上記第１作業端収容室１１２にフィットする第２作業端収容室１２２を有する。固定装置１３は、上記上蓋１２に設けられ、フィルムを上記フィルム収容室１２１内に固定するものである。
【００２９】
具体的には、本発明の上蓋１２と下蓋１１が閉合した状態で、第１作業端収容室１１２と第２作業端収容室１２２は接触してフィルム貼付用補助装置１０上に作業端２１が置かれる領域が形成される。
【００３０】
使用時に、まず、フィルム貼付用気泡除去装置２０とフィルム貼付用補助装置１０を分離し、携帯電話を下蓋１１における携帯電話収容室１１１内に置き、固定装置１３を剥離する。なお、フィルム収容室１２１の側壁がフィルムに対して一定の圧力を有するため、貼付過程において、フィルムはフィルム収容室１２１から分離することがない。上蓋１２の外縁と下蓋１１の外縁を重ね合わせた後、上蓋１２を下に軽く押すだけで、フィルム収容室１２１内にあるフィルムが電子製品のスクリーンに貼り付けられ、そして、スクリーンを軽く押し付けてフィルムとスクリーンの間の気泡を除去すれば、フィルム貼付が完成する。
【００３１】
フィルム貼付過程全体において、上蓋１２及び下蓋１１の縁位置により位置決めし、フィルム及び携帯電話のスクリーンの位置を確定することにより、正確なフィルム貼付の目的が達成される。
【００３２】
上記固定装置１３は、面積がフィルムよりも大きく、フィルムの貼付面と貼り合わせ、フィルムの側縁に突出した延伸部が上記上蓋１２の内頂壁に接着された保護層である。
【００３３】
上記フィルム貼付補助ツールは、上記上蓋１２及び／又は上記固定装置１３に設けられた、上記固定装置１３を剥離するための剥離部１４をさらに含む。
【００３４】
上記上蓋１２と上記下蓋１１との間に両者を係合固定するための係合構造が設けられる。
【００３５】
上記係合構造は、上記下蓋１１の外側壁に設けられた少なくても１つの係合溝１５と、上記上蓋１２の内側壁に設けられ、上記係合溝１５にフィットする係合突起１６を含む。
【００３６】
図１２に示すように、本発明は、包装箱３０をさらに提供する。上記包装箱３０は、包装箱本体３２と、上記包装箱本体３２と合わせるフィルム貼付用気泡除去装置１２０とを含む。
上記包装箱本体３２の少なくとも一側壁には開口３１が設けられる。開口３１は、上記フィルム貼付用気泡除去装置２０が包装箱３０外にはみ出すことができるが、全部は包装箱３０外にはみ出すことができないように設けられる。
【００３７】
図４から６に示すように、本発明は、フィルム貼付用気泡除去装置２０をさらに提供する。フィルム貼付用気泡除去装置２０は、固定端２２と、固定端２２に接続された作業端２１とを含む。作業端２１は、上記固定端２２に接続された取付座２１１と、上記取付座２１１上に回動自在に設けられた回動軸２１２と、上記回動軸２１２に設けられ、フィルムに密接して気泡を除去する押付ローラ２１３と、を含む。
【００３８】
上記取付座２１１の両端に上記回動軸２１２が完全に通過可能な２つの貫通孔２１４が設けられる。上記回動軸２１２における上記押付ローラ２１３の両側にそれぞれ係合溝２１５が設けられる。上記係合溝２１５内には、該係合溝２１５にフィットし、且つ最大外径が上記貫通孔２１４よりも大きい係止ブロック２１６が設けられる。上記係止ブロック２１６は、上記押付ローラ２１３に締まりばめされる。
【００３９】
上述のとおり、本発明は、フィルム貼付用補助装置１０、フィルム貼付用気泡除去装置２０及び包装箱３０を巧妙に接続することにより、フィルム貼付用気泡除去装置２０は、フィルム貼付過程において気泡除去の作用を奏するだけでなく、包装過程において連結作用を奏することができ、製品の実用価値が大幅に向上し、消費者の注目を集めることができる。
【符号の説明】
【００４０】
１０…フィルム貼付用補助装置
１５，２１５…係合溝
２０，１２０…フィルム貼付用気泡除去装置
２１…作業端
２２…固定端
３０…包装箱
３１…開口
２１１…取付座
２１２…回動軸
２１３…押付ローラ
２１４…貫通孔
２１６…係止ブロック
【図１】
2020197691.tif 000003
【図２】
2020197691.tif 000004
【図３】
2020197691.tif 000005
【図４】
2020197691.tif 000006
【図５】
2020197691.tif 000007
【図６】
2020197691.tif 000008
【図７】
2020197691.tif 000009
【図８】
2020197691.tif 000010
【図９】
2020197691.tif 000011
【図１０】
2020197691.tif 000012
【図１１】
2020197691.tif 000013
【図１２】
2020197691.tif 000014
【図１３】
2020197691.tif 000015
【図１４】
2020197691.tif 000016